(57)【要約】【課題】  消費電流の低減化を図り、省電力性を向上させ得るインターホン機能付遠隔操作装置を提供する。【解決手段】  通話スイッチ２７１，３７１の操作により台所リモコン２ａが送話可能状態になれば、電源回路２６を遮断切換して受話部２５に対する電流供給を停止する。併せて音声信号検出部２１１による送話部２３における音声信号検出が非検出であれば送話部２３のマイクアンプ２３２に対する電流供給も停止する。この際、浴室リモコン３ａが受話可能状態になるため、電源回路３４を遮断切換して送話部３３に対する電流供給を停止する。併せて、音声信号検出部３１１による受話部３５における音声信号検出が非検出であれば受話部３５のスピーカアンプ３５２に対する電流供給も停止する。【選択図】      図３
2015008369.tif 000002
【特許請求の範囲】
【請求項１】
被操作装置を遠隔操作可能な遠隔操作機能と、少なくとも２つの遠隔操作装置の間での通話を可能とするインターホン機能とを備えたインターホン機能付遠隔操作装置において、
前記インターホン機能を動作制御する制御部と、音声に基づく音声信号を音声搬送波に変調して送信する送話部と、受信した音声搬送波を音声信号に復調して音声を出力する受話部と、前記２つの遠隔操作装置の間でいずれかを送話可能状態とし、その他を受話可能状態とするかを決定するための通話操作部と、前記送話部及び受話部に対する駆動電源の供給を個別に遮断切換するための電源切換制御部とを備えており、
前記制御部は、現在の通話状態が送話可能状態である場合には、前記電源切換制御部により、前記受話部に対する駆動電源の供給を遮断切換するように構成されている、
ことを特徴とするインターホン機能付遠隔操作装置。
【請求項２】
請求項１に記載のインターホン機能付遠隔操作装置であって、
前記音声信号を検出するための音声信号検出部をさらに備え、
前記制御部は、現在の通話状態が送話可能状態であっても、前記送話部における音声信号が非検出の場合には、前記電源切換制御部により、前記送話部の少なくとも一部構成要素に対する駆動電源の供給を遮断切換するように構成されている、インターホン機能付遠隔操作装置。
【請求項３】
被操作装置を遠隔操作可能な遠隔操作機能と、少なくとも２つの遠隔操作装置の間での通話を可能とするインターホン機能とを備えたインターホン機能付遠隔操作装置において、
前記インターホン機能を動作制御する制御部と、音声に基づく音声信号を音声搬送波に変調して送信する送話部と、受信した音声搬送波を音声信号に復調して音声を出力する受話部と、前記２つの遠隔操作装置の間でいずれかを送話可能状態とし、その他を受話可能状態とするかを決定するための通話操作部と、前記送話部及び受話部に対する駆動電源の供給を個別に遮断切換するための電源切換制御部とを備えており、
前記制御部は、現在の通話状態が受話可能状態である場合には、前記電源切換制御部により、前記送話部に対する駆動電源の供給を遮断切換するように構成されている、
ことを特徴とするインターホン機能付遠隔操作装置。
【請求項４】
請求項３に記載のインターホン機能付遠隔操作装置であって、
前記音声信号を検出するための音声信号検出部をさらに備え、
前記制御部は、現在の通話状態が受話可能状態であっても、前記受話部における音声信号が非検出の場合には、前記電源切換制御部により、前記受話部の少なくとも一部構成要素に対する駆動電源の供給を遮断切換するように構成されている、インターホン機能付遠隔操作装置。
【発明の詳細な説明】
【技術分野】
【０００１】
本発明は、被操作装置（遠隔操作対象）を遠隔操作するための複数の遠隔操作装置の内の少なくとも２つの遠隔操作装置の相互間で通話可能とされたインターホン機能付遠隔操作装置に関する。
【背景技術】
【０００２】
従来、給湯器付風呂装置に用いられる複数のリモコンとして、給湯器付風呂装置についての遠隔操作機能のみならず、その複数のリモコン間で通話を可能とするインターホン機能を備えたものが知られている（例えば特許文献１参照）。又、インターホン機能を備えた２つのリモコン間の通信方式として、一方のリモコンの通話スイッチを押し操作し続けしている期間にのみ一方のリモコンから他方のリモコンに対し送話が可能な状態となり、その期間中、他方のリモコンは受話状態になるというプレストーク方式が知られている（例えば特許文献２参照）。
【先行技術文献】
【特許文献】
【０００３】
【特許文献１】特開２００６−１７４３６０号公報
【特許文献２】特開平９−２３３５６５号公報
【発明の概要】
【発明が解決しようとする課題】
【０００４】
ところで、前記の特許文献１に記載の台所リモコンと浴室リモコンとの間でインターホン機能を実現するために、両リモコンのそれぞれに送信部（送話部）や受信部（受話部）を備え、両リモコンが通話可能な状態に入ると送信部と受信部に電源が供給されて動作可能な状態にされるようになっている。
【０００５】
しかしながら、例えば台所リモコンから浴室リモコンに向けて通話する場合には、台所リモコンの送信部（送話部）及び浴室リモコンの受信部（受話部）が動作する一方、台所リモコンの受信部（受話部）及び浴室リモコンの送信部（送話部）は非動作状態となる。又、この場合、電話のように同時双方向通信とする必要もないため、台所リモコンの受信部（受話部）及び浴室リモコンの送信部（送話部）に対する電源供給は無用なものと考えられる。
【０００６】
本発明は、このような事情に鑑みてなされたものであり、その目的とするところは、消費電流の低減化を図り、省電力性を向上させ得るインターホン機能付遠隔操作装置を提供することにある。
【課題を解決するための手段】
【０００７】
上記目的を達成するために、第１の発明では、被操作装置を遠隔操作可能な遠隔操作機能と、少なくとも２つの遠隔操作装置の間での通話を可能とするインターホン機能とを備えたインターホン機能付遠隔操作装置を対象にして次の特定事項を備えることとした。すなわち、前記インターホン機能を動作制御する制御部と、音声に基づく音声信号を音声搬送波に変調して送信する送話部と、受信した音声搬送波を音声信号に復調して音声を出力する受話部と、前記２つの遠隔操作装置の間でいずれかを送話可能状態とし、その他を受話可能状態とするかを決定するための通話操作部と、前記送話部及び受話部に対する駆動電源の供給を個別に遮断切換するための電源切換制御部とを備える。そして、前記制御部として、現在の通話状態が送話可能状態である場合には、前記電源切換制御部により、前記受話部に対する駆動電源の供給を遮断切換する構成とした（請求項１）。
【０００８】
本発明の場合、例えば２つのインターホン機能付遠隔操作装置の内の一方が通話操作部の操作により送話可能状態になれば、送話動作では使用されない受話部に対する電源供給が遮断切換されることになる。この結果、遮断切換した分の電流消費を削減することが可能となり、省電力性の向上を図り得るようになる。
【０００９】
この場合、音声信号を検出するための音声信号検出部をさらに備え、制御部として、現在の通話状態が送話可能状態であっても、前記送話部における音声信号が非検出の場合には、前記電源切換制御部により、前記送話部の少なくとも一部構成要素に対する駆動電源の供給を遮断切換する構成とすることができる（請求項２）。このようにすることにより、送話可能状態であっても音声信号が非検出で実際には不使用である時間帯に送話部の一部構成要素（例えばマイクアンプ等）に対する電源供給を遮断することが可能になる。これにより、電流消費の削減をより一層進めることが可能となり、より一層の省電力性を向上させることが可能になる。
【００１０】
第２の発明では、被操作装置を遠隔操作可能な遠隔操作機能と、少なくとも２つの遠隔操作装置の間での通話を可能とするインターホン機能とを備えたインターホン機能付遠隔操作装置を対象にして次の特定事項を備えることとした。すなわち、前記インターホン機能を動作制御する制御部と、音声に基づく音声信号を音声搬送波に変調して送信する送話部と、受信した音声搬送波を音声信号に復調して音声を出力する受話部と、前記２つの遠隔操作装置の間でいずれかを送話可能状態とし、その他を受話可能状態とするかを決定するための通話操作部と、前記送話部及び受話部に対する駆動電源の供給を個別に遮断切換するための電源切換制御部とを備える。そして、前記制御部として、現在の通話状態が受話可能状態である場合には、前記電源切換制御部により、前記送話部に対する駆動電源の供給を遮断切換する構成とした（請求項３）。
【００１１】
本発明の場合、例えば２つのインターホン機能付遠隔操作装置の内の一方が通話操作部の操作により送話可能状態になって、他方が受話可能状態になっても、その受話可能状態になったインターホン機能付遠隔操作装置においても、受話動作では使用されない送話部に対する電源供給が遮断切換されることになる。この結果、遮断切換した分の電流消費を削減することが可能となり、省電力性の向上を図り得るようになる。
【００１２】
そして、この場合、音声信号を検出するための音声信号検出部をさらに備え、制御部として、現在の通話状態が受話可能状態であっても、前記受話部における音声信号が非検出の場合には、前記電源切換制御部により、前記受話部の少なくとも一部構成要素に対する駆動電源の供給を遮断切換する構成とすることができる（請求項４）。このようにすることにより、受話可能状態であっても音声信号が非検出で実際には不使用である時間帯に受話部の一部構成要素（例えばスピーカアンプ等）に対する電源供給を遮断することが可能になる。これにより、電流消費の削減をより一層進めることが可能となり、より一層の省電力性を向上させることが可能になる。
【発明の効果】
【００１３】
以上、説明したように、請求項１に係るインターホン機能付遠隔操作装置によれば、例えば２つのインターホン機能付遠隔操作装置の内の一方が通話操作部の操作により送話可能状態になれば、送話動作では使用されない受話部に対する電源供給を遮断切換して電源供給を停止させることができるようになる。この結果、遮断切換した分の電流消費を削減することができ、省電力性の向上を図ることができるようになる。
【００１４】
請求項２に係るインターホン機能付遠隔操作装置によれば、音声信号を検出するための音声信号検出部をさらに備え、制御部として、現在の通話状態が送話可能状態であっても、前記送話部における音声信号が非検出の場合には、前記電源切換制御部により、前記送話部の少なくとも一部構成要素に対する駆動電源の供給を遮断切換する構成とすることにより、送話可能状態であっても音声信号が非検出で実際には不使用である時間帯に送話部の一部構成要素に対する電源供給を遮断することができるようになる。これにより、電流消費の削減をより一層進めることができ、より一層の省電力性を向上させることができるようになる。
【００１５】
請求項３に係るインターホン機能付遠隔操作装置によれば、例えば２つのインターホン機能付遠隔操作装置の内の一方が通話操作部の操作により送話可能状態になって、他方が受話可能状態になっても、その受話可能状態になったインターホン機能付遠隔操作装置においても、受話動作では使用されない送話部に対する電源供給を遮断切換して電源供給を停止させることができるようになる。この結果、遮断切換した分の電流消費を削減することができ、省電力性の向上を図ることができるようになる。
【００１６】
請求項４に係るインターホン機能付遠隔操作装置によれば、音声信号を検出するための音声信号検出部をさらに備え、制御部として、現在の通話状態が受話可能状態であっても、前記受話部における音声信号が非検出の場合には、前記電源切換制御部により、前記受話部の少なくとも一部構成要素に対する駆動電源の供給を遮断切換する構成とすることにより、受話可能状態であっても音声信号が非検出で実際には不使用である時間帯に受話部の一部構成要素に対する電源供給を遮断することができるようになる。これにより、電流消費の削減をより一層進めることができ、より一層の省電力性を向上させることができるようになる。
【図面の簡単な説明】
【００１７】
【図１】本発明の実施形態を適用した給湯システムの概略模式図である。
【図２】第１実施形態に係るインターホン機能付遠隔操作装置を互いに接続した概略ブロック構成図である。
【図３】第２実施形態に係るインターホン機能付遠隔操作装置を互いに接続した概略ブロック構成図である。
【発明を実施するための形態】
【００１８】
以下、本発明の実施形態を図面に基づいて説明する。
【００１９】
図１は、本発明のインターホン機能付遠隔操作装置の実施形態に係る２つのリモコン（例えば台所リモコン２又は２ａ、及び、浴室リモコン３又は３ａ）を備えた給湯システムの概略模式図である。この給湯システムは、被操作装置（遠隔操作対象）としての給湯器４と、インターホン機能付遠隔操作装置としての台所リモコン２又は２ａ、及び、浴室リモコン３又は３ａとを備えたものである。給湯器４、台所リモコン２又は２ａ、及び、浴室リモコン３又は３ａは、２芯通信ケーブルを用いて構成された接続線５により互いに接続されている。なお、給湯器４や、台所リモコン２又は２ａ、及び、浴室リモコン３又は３ａに対し、他のインターホン機能付遠隔操作装置としてのリモコンを同様に接続線５により接続することもできる。又、台所リモコン２及び浴室リモコン３の組み合わせが第１実施形態を、台所リモコン２ａ及び浴室リモコン３ａの組み合わせが第２実施形態を、それぞれ示している。
【００２０】
給湯器４として、図１には給湯機能の他に例えば湯張り機能や追い焚き機能を備えた複合熱源機として構成されたものを例示している。この例の場合、給湯器４は、風呂熱交換器４１と給湯熱交換器４２とが１つの缶体内に配設されて共通の熱源である燃焼バーナ４３により熱交換加熱されるように構成されている。そして、給湯器４は、水道水等の給水を給水路に受けて給湯熱交換器４２において燃焼バーナ４３の燃焼熱との熱交換加熱により所定温度まで加熱した湯を給湯路に出湯させ、続いて給湯配管４４を通して台所や洗面所等の各所の給湯栓４５（図１には代表的に１つのみ図示している）に給湯したり、戻り路４６及び往き路４７からなる追い焚き循環配管４８を利用して浴槽６に湯張りしたりし得るようになっている。又、給湯器４は追い焚き機能を実現するために、浴槽６内に湯張りされた浴槽湯水を図示省略の循環ポンプの作動により追い焚き循環配管４８を通して風呂熱交換器４１との間に循環させて、所定温度まで追い焚き加熱し得るようになっている。
【００２１】
以上の給湯、追い焚き及び湯張りの各運転は、台所リモコン２，２ａ及び／又は浴室リモコン３，３ａ等から送信される運転信号に基づいて、給湯器コントローラ７による作動制御によって実現されるようになっている。運転信号とは、運転開始指令もしくは運転停止指令等の運転指令情報や、設定出湯温度もしくは設定追い焚き温度等の設定情報に係る操作指令信号により主構成される運転信号搬送波のことである。これにより、台所リモコン２，２ａ及び／又は浴室リモコン３，３ａ等により給湯器４の運転動作が遠隔操作可能となっている。又、台所リモコン２，２ａは台所に設置され、浴室リモコン３，３ａは浴室に設置されており、これら台所リモコン２，２ａや浴室リモコン３，３ａは給湯器４を対象とする遠隔操作機能に加えて、台所リモコン２，２ａと浴室リモコン３，３ａとの両者間で通話を行うためのインターホン機能を備えている。このインターホン機能の実現のために、接続線５により、音声信号搬送波と運転信号搬送波とが重畳されて搬送されるようになっている。なお、これら台所リモコン２，２ａや浴室リモコン３，３ａに対しては給湯器コントローラ７から接続線５を介して電源供給されるようになっている。
【００２２】
＜第１実施形態＞
台所リモコン２は、図２に示すように、制御部としてのマイコン２１と、通信回路２２と、送話部２３と、送話部２３に対する電源回路２４と、受話部２５と、受話部に対する電源回路２６と、通話スイッチ２７１を含む操作部２７とを備えている。同様に、浴室リモコン３は、制御部としてのマイコン３１と、通信回路３２と、送話部３３と、送話部３３に対する電源回路３４と、受話部３５と、受話部に対する電源回路３６と、通話操作部としての通話スイッチ３７１を含む操作部３７とを備えている。
【００２３】
通信回路２２，３２は、マイコン２１，３１から出力される前記運転信号を給湯器コントローラ７に対し送信したり、ユーザーによる通話スイッチ２７１，３７１の操作に基づきインターホン機能を起動させて通話可能状態に切換えるための通話要求信号を他のリモコン３又は２に送出したり、あるいは、給湯器コントローラ７から受信する表示情報等の信号をマイコン２１，３１に出力したりするためのものである。送話部２３，３３は、マイク２３１，３３１と、音声信号を増幅するマイクアンプ２３２，３３２と、増幅された音声信号を音声信号搬送波に変調して送信するインターホン送信回路２３３，３３３とを備えている。又、受話部２５，３５は，受信した音声信号搬送波を音声信号に復調するインターホン受信回路２５３，３５３と、復調された音声信号を増幅するスピーカアンプ２５２，３５２と，増幅された音声信号を出力するスピーカ２５１，３５１とを備えている。
【００２４】
マイコン２１，３１は種々の動作制御を実現するためのものであり、特にインターホン機能を実現するものとして、ユーザーによる通話スイッチ２７１，３７１の操作に基づく通話制御部、電源回路２４，２６、３４，３６による電源供給／電源遮断の切換を管理する電源切換制御部、及び、送話部２３，３３及び受話部２５，３５の通話状態を監視して通話状態（送話か受話か）を検知して通話状態検知情報を前記電源切換制御部に出力制御する等による各種制御を実行するようになっている。ここで、通話制御部による通話制御において、台所リモコン２と浴室リモコン３とでは後述の如く異なる制御を実行するように構成されている。すなわち、浴室リモコン３を操作するユーザーは入浴のために浴室内にいるため、通話を行う際に、通話スイッチ３７１に対する操作を台所リモコン２の場合に比べより少ない操作で済むようにしている。このために、台所リモコン２から浴室リモコン３へ通話する場合にはプレストーク方式に通話制御され、浴室リモコン３から台所リモコン２へ通話する場合には略式のハンズフリー方式に通話制御されるようになっている。
【００２５】
電源切換制御部では、通話制御部により通話可能状態に切換えられる際に電源回路２４，２６、３４，３６を電源供給状態に切換え、通話可能状態になれば前記の通話状態検知情報の出力を受けて、現在の通話状態が送話状態であれば受話部２５，３５のインターホン受信回路２５３，３５３に対する電源回路２６，３６による電源供給を遮断切換えする一方、現在の通話状態が受話状態であれば送話部２３，３３のインターホン送信回路２３３，３３３に対する電源回路２４，３４による電源供給を遮断切換えする。
【００２６】
以下、通話制御部による通話制御について、通話スイッチ２７１，３７１の操作に基づくインターホン機能による通話手順を示しつつ説明する。まず、両通話スイッチ２７１，３７１のいずれもが非操作状態（未だ押し操作が行われていない状態）では、台所リモコン２及び浴室リモコン３のインターホン機能は非作動状態とされる。
【００２７】
次に、台所リモコン２から浴室リモコン３に通話する場合には、まず、台所リモコン２の通話スイッチ２７１を１回押し操作してインターホン機能を作動状態にする。詳しくは、通話スイッチ２７１を１開押し操作すると、その操作信号を受けたマイコン２１からの指令により通信回路２２から浴室リモコン３に対し通話要求信号を送出することになる。これを浴室リモコン３の通信回路３２が受信し、受信したことの出力を受けたマイコン３１からの指令により通信回路３２から今度は受領信号が返送される。そして、この受領信号を台所リモコン２が受信することにより、マイコン２１から電源回路２４，２６に電源供給指令が出力され送話部２３や受話部２５が起動されて作動状態になる。浴室リモコン３の側では、前記の通話要求信号を受信することにより、マイコン３１から電源回路３４，３６に電源供給指令が出力され送話部３３や受話部３５が起動されて作動状態にされている。以上で、台所リモコン２及び浴室リモコン３が共にインターホンモードに入ってインターホン機能が有効になる。
【００２８】
続いて、台所リモコン２の通話スイッチ２７１を連続押し操作（押し続ける操作）すると、連続押し操作を続けている間は台所リモコン２から浴室リモコン３への通話が可能な状態、つまり台所リモコン２の送話状態になる。この状態では、ユーザーが台所リモコン２のマイク２３１に話した音声が音声信号となってマイクアンプ２３２で増幅され、インターホン送信回路２３３により音声搬送波に変調されて接続線５に送出される。これが浴室リモコン３のインターホン受信回路３５３で復調され、復調された音声信号がスピーカアンプ３５２で増幅された上でスピーカ３５１から出力される。併せて、台所リモコン２が送話状態になり、浴室リモコン３が受話状態になるため、台所リモコン２の側ではマイコン２１により電源回路２６を遮断切換して受話部２５（インターホン受信回路２５３やスピーカアンプ２５２）への電流供給を停止する一方、浴室リモコン３の側ではマイコン３１により電源回路３４を遮断切換して送話部３３（インターホン送信回路３３３やマイクアンプ３３２）への電流供給を停止する。
【００２９】
一方、台所リモコン２の通話スイッチ２７１を前記の連続押し操作を止めて通話スイッチ２７１を離した状態にしたり、あるいは、インターホンモードに入った状態で通話スイッチ２７１を非操作状態（押し操作を行わない状態）にしたりすると、浴室リモコン３は通話スイッチ３７１に対する押し操作をしなくても、浴室リモコン３から台所リモコン２への通話が可能な状態、つまり浴室リモコン３の送話状態になる。この状態では、ユーザーが浴室リモコン３のマイク３３１に話した音声が音声信号となってマイクアンプ３３２で増幅され、インターホン送信回路３３３により音声搬送波に変調されて接続線５に送出される。これが台所リモコン２のインターホン受信回路２５３で復調され、復調された音声信号がスピーカアンプ２５２で増幅された上でスピーカ２５１から出力される。かかる浴室リモコン３から台所リモコン２への通話状態の際には、台所リモコン２が受話状態になり、浴室リモコン３が送話状態になるため、台所リモコン２の側ではマイコン２１により電源回路２４を遮断切換して送話部２３（インターホン送信回路２３３やマイクアンプ２３２）への電流供給を停止する一方、浴室リモコン３の側ではマイコン３１により電源回路３６を遮断切換して受話部３５（インターホン受信回路３５３やスピーカアンプ３５２）への電流供給を停止する。
【００３０】
以上の如く、台所リモコン２が送話可能状態になる場合には使用されない受話部２５や浴室リモコン３の送話部３３に対する電流供給を停止することができ、逆に浴室リモコン３が送話可能状態になる場合には使用されない受話部３５や台所リモコン２の送話部２３に対する電流供給を停止することができる。この結果、その分の電流消費を削減することができ、省電力性を向上させることができるようになる。このことは給湯システムの全体における省電力性を向上させることにもつながる。
【００３１】
＜第２実施形態＞
図３は第２実施形態に係る台所リモコン２ａ及び浴室リモコン３ａを示す。以下、第１実施形態と同じ構成要素には第１実施形態と同じ符号を付して重複した説明を省略する。なお、同じ符号を付した場合であっても、特に言及する事項については第１実施形態と異なる構成を一部に備えている。
【００３２】
第２実施形態では台所リモコン２ａ及び浴室リモコン３ａのマイコン２１，３１が第１実施形態で説明したものに加えて、さらに、音声信号検出部２１１，３１１に基づく制御を実行する点で、第１実施形態と異なる。そして、第２実施形態では、音声信号検出部２１１，３１１により送話部２３，３３及び受話部２５，３５を監視して音声信号を検出することにより、送話状態又は受話状態という通話状態にあっても、実際に通話が行われているか否かを検出して、通話が行われていない時間帯はマイクアンプ２３２，３３２又はスピーカアンプ２５２，３５２に対する電流供給を遮断（停止）するようにしている。つまり、第１実施形態での非使用状態になるインターホン送信回路２３３又は３３３、あるいは、インターホン受信回路２５３，３５３に対する電流供給を遮断（停止）するのみならず、さらに、使用状態になる側ではあっても実際に音声信号が流れていない時間帯にはそれらのマイクアンプ２３２，３３２又はスピーカアンプ２５２，３５２に対する電流供給をも遮断（停止）するようにしているのである。なお、台所リモコン２ａから浴室リモコン３ａへ通話する場合にはプレストーク方式に通話制御され、浴室リモコン３ａから台所リモコン２ａへ通話する場合には略式のハンズフリー方式に通話制御されるようになっている点は、第１実施形態と同じである。
【００３３】
音声信号検出部２１１，３１１では、送話部２３，３３においてはマイクアンプ２３２，３３２とインターホン送信回路２３３，３３３との間の電圧を、受話部２５，３５においてはスピーカアンプ２５２，３５２とインターホン受信回路２５３，３５３との間の電圧を、それぞれＡ／Ｄ入力させて変動の有無を監視し、送話部２３，３３において所定レベル以上の変動があれば音声信号検出として送話状態にあると判定する一方、受話部２５，３５において所定レベル以上の変動があれば音声信号検出として受話状態にあると判定する。そして、電源切換制御部では、通話制御部により通話可能状態に切換えられる際に電源回路２４，２６、３４，３６を電源供給状態に切換え、通話可能状態になれば音声信号検出部２１１，３１１により現在の通話状態が送話状態と判定されれば受話部２５，３５に対する電源回路２６，３６による電源供給を遮断切換えする一方、現在の通話状態が受話状態と判定されれば送話部２３，３３に対する電源回路２４，３４による電源供給を遮断切換えする。
【００３４】
台所リモコン２ａの通話スイッチ２７１を連続押し操作（押し続ける操作）して、連続押し操作を続けている間に、台所リモコン２ａから浴室リモコン３ａへの送話状態になると、ユーザーが台所リモコン２ａのマイク２３１に話した音声が音声信号となってマイクアンプ２３２で増幅され、インターホン送信回路２３３により音声搬送波に変調されて接続線５に送出される。これが浴室リモコン３ａのインターホン受信回路３５３で復調され、復調された音声信号がスピーカアンプ３５２で増幅された上でスピーカ３５１から出力される。そして、台所リモコン２ａから浴室リモコン３ａへの通話の際には、第１実施形態と同様に、台所リモコン２ａが送話状態になり、浴室リモコン３ａが受話状態になるため、台所リモコン２ａの側ではマイコン２１により電源回路２６を遮断切換して受話部２５（インターホン受信回路２５３やスピーカアンプ２５２）への電流供給を停止する一方、浴室リモコン３ａの側ではマイコン３１により電源回路３４を遮断切換して送話部３３（インターホン送信回路３３３やマイクアンプ３３２）への電流供給を停止する。
【００３５】
加えて、台所リモコン２ａでは、送話部２３のマイクアンプ２３２とインターホン送信回路２３３との間に音声信号が流れるか否かを音声信号検出部２１１により検出し、音声信号が非検出であれば、送話可能状態であってもマイクアンプ２３２に対する電流供給を遮断（停止）させる。つまり、受話部２５のインターホン受信回路２５３のみならず、送話部２３のマイクアンプ２３２に対する電流供給をも停止させる。音声信号が検出されれば、マイクアンプ２３２に対する電流供給を瞬時に再開して送話可能状態に復帰させる。又、浴室リモコン３ａでは、受話部３５のスピーカアンプ３５２とインターホン受話回路３５３との間に音声信号が流れるか否かを音声信号検出部３１１により検出し、音声信号が非検出であれば、送話可能状態であってもスピーカアンプ３５２に対する電流供給を遮断（停止）させる。つまり、送話部３３のみならず、受話部３５のスピーカアンプ３５２に対する電流供給をも停止させる。音声信号が検出されれば、スピーカアンプ３５２に対する電流供給を瞬時に再開して受話可能状態に復帰させる。
【００３６】
一方、台所リモコン２ａの通話スイッチ２７１を前記の連続押し操作を止めて通話スイッチ２７１を離した状態にしたり、あるいは、インターホンモードに入った状態で非操作状態（押し操作を行わない状態）にしたりすると、浴室リモコン３ａは通話スイッチ３７１に対する押し操作をしなくても、浴室リモコン３ａから台所リモコン２ａへの通話が可能な状態、つまり浴室リモコン３の送話状態になる。この状態では、ユーザーが浴室リモコン３ａのマイク３３１に話した音声が音声信号となってマイクアンプ３３２で増幅され、インターホン送信回路３３３により音声搬送波に変調されて接続線５に送出される。これが台所リモコン２ａのインターホン受信回路２５３で復調され、復調された音声信号がスピーカアンプ２５２で増幅された上でスピーカ２５１から出力される。かかる浴室リモコン３ａから台所リモコン２ａへの通話の際に、台所リモコン２ａでは受話状態であるため、電源回路２４を遮断切換して送話部２３（インターホン送信回路２３３やマイクアンプ２３２）への電流供給を停止する一方、浴室リモコン３ａでは送話状態であるため、電源回路３６を遮断切換して受話部３５（インターホン受信回路３５３やスピーカアンプ３５２）への電流供給を停止する。
【００３７】
加えて、台所リモコン２ａでは、受話部２５のスピーカアンプ２５２とインターホン受信回路２５３との間に音声信号が流れるか否かを音声信号検出部２１１により検出し、音声信号が非検出であれば、受話可能状態であってもスピーカアンプ２５２に対する電流供給を遮断（停止）させる。つまり、送話部２３のみならず、受話部２５のスピーカアンプ２５２に対する電流供給をも停止させる。音声信号が検出されれば、スピーカアンプ２５２に対する電流供給を瞬時に再開して受話可能状態に復帰させる。又、浴室リモコン３ａでは、送話部３３のマイクアンプ３３２とインターホン送信回路３３３との間に音声信号が流れるか否かを音声信号検出部３１１により検出し、音声信号が非検出であれば、送話可能状態であってもマイクアンプ３３２に対する電流供給を遮断（停止）させる。つまり、受話部３５のみならず、送話部３３のマイクアンプ３３２に対する電流供給をも停止させる。音声信号が検出されれば、マイクアンプ３３２に対する電流供給を瞬時に再開して受話可能状態に復帰させる。
【００３８】
この第２実施形態の場合には、台所リモコン２が送話状態になる場合には使用されない受話部２５や送話部３３に対する電流供給を、逆に浴室リモコン３が送話状態になる場合には使用されない受話部３５及び送話部２３に対する電流供給を停止することができる、という第１実施形態と同様の電流消費の削減化を図ることができる上に、さらに、使用される送話部２３や受話部３５、又は、送話部３３及び受話部２５であっても、音声信号が流れない時間帯を検出してその時間帯は電流供給を停止させるようにすることができ、電流消費の削減化を第１実施形態よりもさらに進めることができる。このため、第１実施形態よりも一層の省電力性を向上させることができるようになる。
【００３９】
＜他の実施形態＞
以上、第１実施形態又は第２実施形では、台所リモコン２から浴室リモコン３に対し送話可能状態にするには通話スイッチ２７１を連続押し操作する一方、台所リモコン２側の通話スイッチ２７１が非操作状態であれば、浴室リモコン３側の通話スイッチ３７１を操作しなくても、浴室リモコン３から台所リモコン２に対し送話可能状態にし得るというプレストーク方式での切り替え方法について説明したが、これに限らず、例えば台所リモコン２や浴室リモコン３のいずれであっても、自機の通話スイッチを連続押し操作すれば自機から他機へ送話可能状態に切り替わる、というようにすることもできる。
【符号の説明】
【００４０】
２      台所リモコン（インターホン機能付遠隔操作装置）
３      浴室リモコン（インターホン機能付遠隔操作装置）
４      給湯器（被操作装置）
２１，３１      マイコン（制御部）
２３，３３        送話部
２５，３５        受話部
２１１，３１１    音声信号検出部
２７１，３７１    通話スイッチ（通話操作部）
【図１】
2015008369.tif 000003
【図２】
2015008369.tif 000004
【図３】
2015008369.tif 000005